(57)【要約】イヤーセットの音色補償装置および方法が開示される。本発明によるイヤーセットの音色補償装置（方法）は、パラメータ抽出部において、インイヤーマイクロホンとアウトイヤーマイクロホンから伝えられた音声信号より周波数ごとの位相及び振幅パラメータを抽出し、パラメータ比較部において、抽出されたインイヤーマイクロホンの周波数ごとの位相及び振幅パラメータとアウトイヤーマイクロホンの周波数ごとの位相及び振幅パラメータをそれぞれ比較し、パラメータ補償部において、測定値間の差があるパラメータに対してアウトイヤーマイクロホンの周波数ごとの位相及び振幅パラメータ値に補償する。【選択図】図３
2019516304.tif 000002
【特許請求の範囲】
【請求項１】
声帯から耳の鼓膜に伝えられた内耳音声を集音するインイヤーマイクロホンと、
声帯から口腔の外に伝えられた外部音声を集音するアウトイヤーマイクロホンと、
前記インイヤーマイクロホンと前記アウトイヤーマイクロホンから伝えられた音声信号の各パラメータを比較して音声を復元する音声復元部と、を含むことを特徴とする、
イヤーセットの音色補償装置。
【請求項２】
前記インイヤーマイクロホンから出力された音声信号と、前記音声復元部から出力された音声信号より帯域幅を拡張させる帯域拡張部を更に含むことを特徴とする請求項１に記載のイヤーセットの音色補償装置。
【請求項３】
声帯から耳の鼓膜に伝えられた内耳音声を集音するインイヤーマイクロホンと、
低音域の内耳音声から高音域の内耳音声に帯域幅を拡張させる帯域拡張部と、
声帯から口腔の外に伝えられた外部音声を集音するアウトイヤーマイクロホンと、
前記帯域拡張部から出力された音声信号と、前記アウトイヤーマイクロホンから伝えられた音声信号の各パラメータを比較して音声を復元する音声復元部と、を含むことを特徴とする、
イヤーセットの音色補償装置。
【請求項４】
前記音声復元部は、伝えられた音声信号から多数のパラメータを抽出するパラメータ抽出部と、各パラメータの測定値を比較するパラメータ比較部と、前記測定値間の差があるパラメータに対して前記アウトイヤーマイクロホンのパラメータ値に補償するパラメータ補償部と、を含み、前記パラメータは音声に対する周波数ごとの位相及び振幅を含むことを特徴とする請求項１及び３のいずれか一項に記載のイヤーセットの音色補償装置。
【請求項５】
インイヤーマイクロホンにおいて、声帯から耳の鼓膜に伝えられた内耳音声を集音し、且つアウトイヤーマイクロホンにおいて、声帯から口腔の外に伝えられた外部音声を集音する段階と、
パラメータ抽出部において、前記インイヤーマイクロホンと前記アウトイヤーマイクロホンから伝えられた音声信号より周波数ごとの位相及び振幅パラメータを抽出する段階と、
パラメータ比較部において、抽出された前記インイヤーマイクロホンの周波数ごとの位相及び振幅パラメータと、前記アウトイヤーマイクロホンの周波数ごとの位相及び振幅パラメータをそれぞれ比較する段階と、
パラメータ補償部において、測定値間の差があるパラメータに対して前記アウトイヤーマイクロホンの周波数ごとの位相及び振幅パラメータ値に補償する段階と、を含むことを特徴とする、
イヤーセットの音色補償方法。
【請求項６】
帯域拡張部において、前記インイヤーマイクロホンから出力された音声信号と、前記パラメータ補償部から出力された音声信号より帯域幅を拡張させる段階と、を更に含むことを特徴とする請求項５に記載のイヤーセットの音色補償方法。
【請求項７】
インイヤーマイクロホンにおいて、声帯から耳の鼓膜に伝えられた内耳音声を集音し、且つアウトイヤーマイクロホンにおいて、声帯から口腔の外に伝えられた外部音声を集音する段階と、
帯域拡張部において、前記インイヤーマイクロホンの音声信号を高音域の音声信号に帯域幅を拡張させる段階と、
パラメータ抽出部において、前記帯域拡張部と、前記アウトイヤーマイクロホンから伝えられた音声信号より周波数ごとの位相及び振幅パラメータを抽出する段階と、
パラメータ比較部において、抽出された前記帯域拡張部の周波数ごとの位相及び振幅パラメータと、前記アウトイヤーマイクロホンの周波数ごとの位相及び振幅パラメータをそれぞれ比較する段階と、
パラメータ補償部において、測定値間の差があるパラメータに対して前記アウトイヤーマイクロホンの周波数ごとの位相及び振幅パラメータ値に補償する段階と、を含むことを特徴とする、
イヤーセットの音色補償方法。
【発明の詳細な説明】
【技術分野】
【０００１】
本発明は、イヤーセットに関するものである。更に詳しくは使用者の音色を補償するイヤーセットの音色補償装置及び方法に関するものである。
【背景技術】
【０００２】
最近、スピーカーとマイクロホンを一体化させたイヤーセットが多く提案されている。
【０００３】
このようなイヤーセットは、外耳道に音響を伝える機能と使用者音声を集音する機能を一つのボディー（Ｂｏｄｙ）で遂行できる。通常、スピーカーは音響伝達のために外耳道方向を向くようになり、マイクロホンは使用者音声を集音するために外部に露出されるようになる。
【０００４】
ところで、外部に露出されたマイクロホンは使用者の音声だけでなく、外部の騒音も共に集音するようになる。
【０００５】
この外部騒音問題を解決するため、マイクロホン（インイヤーマイクロホン）を外耳道方向に設置したイヤーセットが提案されていたが、声が声帯から耳管を通して鼓膜の方に伝えられる周波数は０〜２ＫＨｚ程度の低音域であり、これによってインイヤーマイクロホンに入力される低音域だけで原音を復元するのに困難がある。
【０００６】
このような高音域の喪失問題を解決するために、マイクロホンを多数個構成してマイクロホンに入力された互いに異なる帯域の周波数音声を合成して原音に復元させる技術が提案されている。つまり、外耳道側に設置されるインイヤー（Ｉｎ−Ｅａｒ）マイクロホンと、耳介の外側に設置されるアウトイヤー（Ｏｕｔ−Ｅａｒ）マイクロホンを共に構成して、インイヤー（Ｉｎ−Ｅａｒ）マイクロホンとアウトイヤー（Ｏｕｔ−Ｅａｒ）マイクロホンに入力される互いに異なる帯域の周波数音声を合成して原音を復元するのである。
【０００７】
しかし、声帯から耳の鼓膜まで伝えられる内耳音声（Ｉｎｎｅｒ  Ｓｏｕｎｄ）の特性は使用者ごとに異なる。これに同一の高音復元アルゴリズムを適用する場合、実際の使用者の音声と違うように復元される問題が発生し得る。
【０００８】
よって、使用者ごとに異なる内耳音声の特性を考慮して復元アルゴリズムを改良する必要性がある。
【発明の概要】
【発明が解決しようとする課題】
【０００９】
本発明の目的は、インイヤーマイクロホンとアウトイヤーマイクロホンから入力された音声を比較して使用者の音色を補償するイヤーセットの音色補償装置および方法を提供することにある。
【課題を解決するための手段】
【００１０】
前記のような目的を達成するための本発明のイヤーセットの音色補償装置は、声帯から耳の鼓膜に伝えられた内耳音声を集音するインイヤーマイクロホンと、声帯から口腔の外に伝えられた外部音声を集音するアウトイヤーマイクロホン、および前記インイヤーマイクロホンと前記アウトイヤーマイクロホンから伝えられた音声信号の各パラメータを比較して音声を復元する音声復元部と、を含む。
【００１１】
この時、前記インイヤーマイクロホンから出力された音声信号と、前記音声復元部から出力された音声信号より帯域幅を拡張させる帯域拡張部と、をさらに含むことができる。
【００１２】
一方、本発明のイヤーセットの音色補償装置は、声帯から耳の鼓膜に伝えられた内耳音声を集音するインイヤーマイクロホンと、低音域の内耳音声から高音域の内耳音声に帯域幅を拡張させる帯域拡張部と、声帯から口腔の外に伝えられた外部音声を集音するアウトイヤーマイクロホン、および前記帯域拡張部から出力された音声信号と、前記アウトイヤーマイクロホンから伝えられた音声信号の各パラメータを比較して音声を復元する音声復元部と、を含む。
【００１３】
ここで、前記音声復元部は、伝えられた音声信号から多数のパラメータを抽出するパラメータ抽出部と、各パラメータの測定値を比較するパラメータ比較部、および測定値間の差があるパラメータに対して前記アウトイヤーマイクロホンのパラメータ値に補償するパラメータ補償部と、を含み、前記パラメータは音声に対する周波数ごとの位相及び振幅を含むことができる。
【００１４】
一方、本発明のイヤーセットの音色補償方法は、インイヤーマイクロホンにおいて、声帯から耳の鼓膜に伝えられた内耳音声を集音し、アウトイヤーマイクロホンにおいて、声帯から口腔の外に伝えられた外部音声を集音する段階と、パラメータ抽出部において、前記インイヤーマイクロホンと前記アウトイヤーマイクロホンから伝えられた音声信号より周波数ごとの位相及び振幅パラメータを抽出する段階と、パラメータ比較部において、抽出された前記インイヤーマイクロホンの周波数ごとの位相及び振幅パラメータと、前記アウトイヤーマイクロホンの周波数ごとの位相及び振幅パラメータをそれぞれ比較する段階、およびパラメータ補償部において、測定値間の差があるパラメータに対して前記アウトイヤーマイクロホンの周波数ごとの位相及び振幅パラメータ値に補償する段階と、を含む。
【００１５】
この時、帯域拡張部において、前記インイヤーマイクロホンから出力された音声信号と、前記パラメータ補償部から出力された音声信号より帯域幅を拡張させる段階と、をさらに含むことができる。
【００１６】
一方、本発明のイヤーセットの音色補償方法は、インイヤーマイクロホンにおいて、声帯から耳の鼓膜に伝えられた内耳音声を集音し、且つアウトイヤーマイクロホンにおいて、声帯から口腔の外に伝えられた外部音声を集音する段階と、帯域拡張部において、前記インイヤーマイクロホンの音声信号を高音域の音声信号に帯域幅を拡張させる段階と、パラメータ抽出部において、前記帯域拡張部と前記アウトイヤーマイクロホンから伝えられた音声信号より周波数ごとの位相及び振幅パラメータを抽出する段階と、パラメータ比較部において、抽出された前記帯域拡張部の周波数ごとの位相及び振幅パラメータと、前記アウトイヤーマイクロホンの周波数ごとの位相及び振幅パラメータをそれぞれ比較する段階、及びパラメータ補償部において、測定値間の差があるパラメータに対して前記アウトイヤーマイクロホンの周波数ごとの位相及び振幅パラメータ値で補償する段階と、を含む。
【発明の効果】
【００１７】
上述のとおり、本発明におけるイヤーセットの音色補償装置および方法によると、インイヤーマイクロホンとアウトイヤーマイクロホンから入力された音声を比較して使用者の音色に復元することで、使用者本人や相手との対話に安らぎを提供することができる。
【図面の簡単な説明】
【００１８】
【図１】本発明の一実施形態によるイヤーセットの音色補償装置の構成図である。
【図２】本発明の他の実施形態によるイヤーセットの音色補償装置の構成図である。
【図３】本発明の一実施形態による音声復元部の構成図である。
【図４】本発明の一実施形態による帯域拡張部の構成図である。
【図５】本発明の一実施形態によるイヤーセットの音色補償方法のフローチャートである。
【図６】本発明の他の実施形態によるイヤーセットの音色補償方法のフローチャートである。
【図７】本発明の音色補償の概念図である。
【図８】アプリ（Ａｐｐ）を通じて音色補償が行われ過程を示した図面である。
【発明を実施するための形態】
【００１９】
以下では、本発明の好ましい実施形態及び添付する図面を参照して本発明を詳しく説明するが、図面の同一参照符号は同一構成要素を示すことを前提して説明することとする。
【００２０】
発明の詳細な説明または特許請求の範囲において、何れかの構成要素が他の構成要素を「含む」とする時、これは特に反対する記載がない限り、当該構成要素だけで構成されるものと限って解釈せずに、他の構成要素を更に含むことができると理解すべきである。
【００２１】
また、発明の詳細な説明または特許請求の範囲における「手段」、「〜部」、「〜モジュール」、「〜ブロック」と名付けられた構成要素は少なくとも一つ以上の機能や動作を処理する単位を意味し、これらの個々はソフトウェアまたはハードウェア、またはこれらの結合により具現できる。
【００２２】
以下では、本発明のイヤーセットの音色補償装置および方法に具現された一例を特定の実施形態を通じて説明することとする。
【００２３】
図１は、本発明の一実施形態によるイヤーセットの音色補償装置の構成図である。
【００２４】
図１を参照する。本発明のイヤーセットの音色補償装置は、声帯から耳の鼓膜に伝えられた内耳音声を集音するインイヤーマイクロホン１と、声帯から口腔の外に伝えられた外部音声を集音するアウトイヤーマイクロホン２と、インイヤーマイクロホン１とアウトイヤーマイクロホン２から伝えられた音声信号の各パラメータを比較して音声を復元する音声復元部３と、を含む。
【００２５】
ここに、本発明のイヤーセットの音色補償装置は、インイヤーマイクロホン１から出力された音声信号と音声復元部３から出力された音声信号より帯域幅を拡張させる帯域拡張部４をさらに含むことができる。
【００２６】
図２は、本発明の他の実施形態によるイヤーセットの音色補償装置の構成図である。
【００２７】
図２を参照する。本発明のイヤーセットの音色補償装置は、声帯から耳の鼓膜に伝えられた内耳音声を集音するインイヤーマイクロホン１と、低音域の内耳音声から高音域の内耳音声に帯域幅を拡張させる帯域拡張部４と、声帯から口腔の外に伝えられた外部音声を集音するアウトイヤーマイクロホン２と、帯域拡張部４から出力された音声信号とアウトイヤーマイクロホン２から伝えられた音声信号の各パラメータを比較して音声を復元する音声復元部３と、を含む。
【００２８】
図３は、本発明の音声復元部の構成図である。
【００２９】
図３を参照する。本発明の音声復元部３は、インイヤーマイクロホン１及びアウトイヤーマイクロホン２から伝えられた音声信号より多数のパラメータを抽出するパラメータ抽出部３１と、インイヤーマイクロホン１とアウトイヤーマイクロホン２の各パラメータの測定値を比較するパラメータ比較部３２と、測定値間の差があるパラメータに対してアウトイヤーマイクロホン２のパラメータ値に補償するパラメータ補償部３３と、を含む。
【００３０】
ここで、パラメータは、音声に対する周波数ごとの位相及び振幅を含む。すなわち、周波数ごとの位相及び振幅を含む正弦波信号の要素からパラメータを抽出する。
【００３１】
前記パラメータ抽出部３１は、インイヤーマイクロホン１とアウトイヤーマイクロホン２のそれぞれに構成できる。
【００３２】
一方、本実施形態においては、リアルタイムで音声と関連されたパラメータ間の比較が行われる場合について説明しているが、各パラメータ基準値を保存したメモリとの比較を通じてパラメータ間の比較が行われる可能性もある。よって、各パラメータ基準値を設定するための過程が進行できる。
【００３３】
このように構成された本発明の音声復元部３は、インイヤーマイクロホン１及びアウトイヤーマイクロホン２のそれぞれから伝えられた音声信号より周波数ごとの位相及び振幅パラメータを抽出する。抽出されたインイヤーマイクロホン１の周波数ごとの位相及び振幅パラメータとアウトイヤーマイクロホン２の周波数ごとの位相及び振幅パラメータをそれぞれ比較し、測定値間の差があるパラメータに対してアウトイヤーマイクロホン２の周波数ごとの位相及び振幅パラメータ値に補償する。
【００３４】
図４は、本発明の一実施形態による帯域拡張部の構成図である。
【００３５】
図４を参照する。本発明の帯域拡張部４は、入力された超狭帯域信号（Ｓｕｐｐｅｒ−Ｎａｒｒｏｗｂａｎｄ  Ｓｉｇｎａｌ）から励起信号（ｅｘｃｉｔａｔｉｏｎ  Ｓｉｇｎａｌ）を決定する第１の線形予測分析部６１と、決定された励起信号をスペクトルフォールディング手法またはガウシアンノイズ通過帯域の変換手法などを通じて広帯域励起信号を出力して音を生成する励起信号拡張部６２と、超狭帯域信号の周波数を倍増（Ｎ倍）させて高周波帯域信号を含む広帯域信号に拡張させる高周波スペクトル拡張部６３と、拡張された広帯域信号から高周波帯域信号を推定および決定する第２の線形予測分析部６４と、第２の線形予測分析部６４から出力された高周波帯域信号をフィルタリングするフィルタリング部６５と、フィルタリング部６５から出力された高周波帯域信号と励起信号拡張部６２から出力された広帯域励起信号を合成する合成部６６と、合成部６６から出力された高周波信号と超狭帯域信号をミキシングするミキシング部６７と、を含む。
このように、本発明の帯域拡張部４は、高周波が大きく入力された超狭帯域信号（Ｓｕｐｐｅｒ−Ｎａｒｒｏｗｂａｎｄ  Ｓｉｇｎａｌ）から拡張された励起信号（ｅｘｃｉｔａｔｉｏｎ  Ｓｉｇｎａｌ）と超狭帯域信号の周波数を倍増させて拡張し、フィルタリングした高周波帯域信号を合成して高周波信号を生成する高周波信号生成部と、高周波信号と超狭帯域信号をミキシングするミキシング部６７から構成されている。
【００３６】
高周波スペクトル拡張部６３は、一例として超狭帯域信号（０〜２ＫＨｚ）を２倍にアップサンプリングすると、アップサンプリングされた信号は４ＫＨｚでサンプリングされる。これに高周波スペクトル拡張部６３から出力される信号は、０〜４ＫＨｚ帯域と同一であり、高周波帯域の４〜８ＫＨｚでは入力信号のフォールディングされたバージョンと同一のスペクトルを有するようになる。
このスペクトルを用いて高周波帯域信号を推定するようになる。フィルタリング部６５においては、４〜８ＫＨｚ帯域の音声信号を抽出するようになる。以降、合成部６６においては、０〜４ＫＨｚ帯域の音声信号と４〜８ＫＨｚ帯域の音声信号の合成が行われ、続いて合成部６６から出力された高周波の音声と拡張以前の超狭帯域信号（０〜２ＫＨｚ）をミキシングして最終的に高音域を復元する。
【００３７】
このように、本発明の帯域拡張部４は、超狭帯域信号（Ｓｕｐｐｅｒ−Ｎａｒｒｏｗｂａｎｄ  Ｓｉｇｎａｌ）がインイヤーマイクロホン１に入力されても高音域の復元を可能にしている。つまり、一般的に高音復元アルゴリズムは、０〜４ＫＨｚを８ＫＨｚまで拡張するのに対して、本発明においてはインイヤーマイクロホン１に入力される２ＫＨｚ未満の超狭帯域信号に対して復元が行われるようになる。しかも、本発明においては、演算量が著しく減少されたにもかかわらず、高音域を復元することができる。
【００３８】
本発明においては、線形予測符号化ベースアルゴリズムを通じて周波数を予測して拡張させる演算は行わず、高周波スペクトル拡張（Ｈｉｇｈ  Ｆｒｅｑｕｅｎｃｙ  Ｓｐｅｃｔｒｕｍ  ＥｘｔｅｎＳｉｏｎ）を通じて単純周波数拡張が行われるようにする。すなわち、周波数を予測してリアルタイムで作って拡張させる演算は省略し、整流器（ｒｅｃｔｉｆｉｅｒ）、スペクトルフォールディング（Ｓｐｅｃｔｒａｌ  ｆｏｌｄｉｎｇ）、変換（ｍｏｄｕｌａｔｉｏｎ）手法を使用して周波数のみ拡張させる。よって、演算量を大きく減少させることができる。
【００３９】
このように高周波スペクトル拡張部６３において、単純に周波数のみ拡張することにより、広帯域信号が出力されると、これに対して線形予測分析を遂行した後、線形予測モデリングを通じた周波数拡張を行わず、フィルターを使用して単純フィルタリングのみ遂行する。つまり、帯域幅の拡張なしに原音（高音域）に近接したフィルタリングが行われる。以降、フィルタリングされた結果と励起信号が拡張された結果を合成すれば、高周波信号が生成される。続いて、最後に高周波信号とインイヤーマイクロホン１を通じて入力された超狭帯域信号をミキシングすると、高音域が復元される。
【００４０】
それで、ここで前記のように構成されたシステムを用いた本発明のイヤーセットの音色補償方法について説明することとする。
【００４１】
図５は、本発明の一実施形態によるイヤーセットの音色補償方法のフローチャートである。
【００４２】
図５を参照する。使用者の発声が行われると、インイヤーマイクロホン１においては声帯から耳の鼓膜に伝えられた内耳音声を集音し、且つアウトイヤーマイクロホン２においては声帯から口腔の外に伝えられた外部音声を集音する（Ｓ１）。
【００４３】
これに、パラメータ抽出部３１においては、インイヤーマイクロホン１とアウトイヤーマイクロホン２から伝えられた音声信号より周波数ごとの位相及び振幅パラメータを抽出する（Ｓ２）。
【００４４】
続いて、パラメータ比較部３２においては、抽出されたインイヤーマイクロホン１の周波数ごとの位相及び振幅パラメータとアウトイヤーマイクロホン２の周波数ごとの位相及び振幅パラメータをそれぞれ比較する（Ｓ３）。
【００４５】
そして、パラメータ補償部３３においては、測定値間の差があるパラメータに対して、アウトイヤーマイクロホン２の周波数ごとの位相及び振幅パラメータ値に補償する（Ｓ４）。
【００４６】
一方、帯域拡張部４は、インイヤーマイクロホン１から出力された音声信号と、パラメータ補償部３３から出力された音声信号より帯域幅を拡張させる過程をさらに進めることができる（Ｓ５）。
【００４７】
図６は、本発明の他の実施形態によるイヤーセットの音色補償方法のフローチャートである。
【００４８】
図６を参照する。使用者の発声が行われると、インイヤーマイクロホン１においては、声帯から耳の鼓膜に伝えられた内耳音声を集音し（Ｓ１１）、これに帯域拡張部４においては、低音域の内耳音声から高音域の内耳音声に帯域幅を拡張させる（Ｓ１２）。一方、アウトイヤーマイクロホン２においても声帯から口腔の外に伝えられた外部音声の集音が行われる（Ｓ１１）。
【００４９】
続いて、パラメータ抽出部３１においては、帯域拡張部４とアウトイヤーマイクロホン２より伝えられた音声信号より周波数ごとの位相及び振幅パラメータを抽出する（Ｓ１３）。
【００５０】
これに、パラメータ比較部３２においては、抽出された帯域拡張部４、１の周波数ごとの位相及び振幅パラメータとアウトイヤーマイクロホン２の周波数ごとの位相及び振幅パラメータをそれぞれ比較する（Ｓ１４）。
【００５１】
そして、パラメータ補償部３３においては、測定値間の差があるパラメータに対してアウトイヤーマイクロホン２の周波数ごとの位相及び振幅パラメータ値に補償する（Ｓ１５）。
【００５２】
図７は、本発明の音色補償の概念図である。
【００５３】
図７を参照する。本発明においては、外部信号と内部信号を比較して周波数応答特性を調整するプロセスを進む。
【００５４】
図８は、アプリ（Ａｐｐ）を通じて音色補償が行われ過程を示した図面である。
【００５５】
一例として、スマートフォンなどでアプリ（Ａｐｐ）を実行させて、パラメータ基準値を設定する過程及び音色補償が行われる過程を示したフローチャートである。
【００５６】
図８を参照する。スマートフォンとイヤーセットの有・無線連結状態を確認する（Ｓ２１）。
【００５７】
パラメータ基準値が設定されていない場合には、パラメータ基準値を設定する過程を進行する。
【００５８】
スマートフォンとイヤーセットが連結された状態で使用者の音声を入力する（Ｓ２２）。この時、使用者の音声入力前に、アウトイヤーマイクロホン２から入力される騒音をチェックして騒音値が設定値以下の場合に、使用者の音声入力が行われるようにする方が好ましい。
【００５９】
アプリ（Ａｐｐ）で案内する文章を読むと、インイヤーマイクロホン１とアウトイヤーマイクロホン２から出力された音声信号より周波数ごとの位相及び振幅パラメータを抽出する（Ｓ２３）。
【００６０】
続いて、抽出されたインイヤーマイクロホン１の周波数ごとの位相及び振幅パラメータとアウトイヤーマイクロホン２の周波数ごとの位相及び振幅パラメータをそれぞれ比較する（Ｓ２４）。
【００６１】
これに、測定値間の差があるパラメータに対して、アウトイヤーマイクロホン２の周波数ごとの位相及び振幅パラメータ値を基準として補償値を決定する（Ｓ２５）。
【００６２】
そして、補償値をメモリに保存する（Ｓ２６）。
【００６３】
以降、メモリに保存された補償値は音声の復元に利用できる。つまり、インイヤーマイクロホン１から伝えられた音声信号に対して、メモリに保存された補償値を適用して音声復元が行われる。
【００６４】
以上、いくつかの実施形態を通じて、本発明の技術的思想を説明した。
【００６５】
本発明の属する技術分野における通常の知識を有する者が本発明の記載事項から前記調べてみた実施形態を多様に変形し、または変更できることは自明である。また、たとえ明示的に示されず、または説明されなかったとしても本発明の属する技術分野における通常の知識を有する者が、本発明の記載事項から本発明による技術的思想を含む様々の形に変形できることは明らであり、これは依然として本発明の権利範囲に属する。添付する図面を参照して説明された前記の実施形態は本発明を説明するための目的で記述されたものであり、本発明の権利範囲はこのような実施形態に限られない。
【符号の説明】
【００６６】
１    インイヤーマイクロホン
２    アウトイヤーマイクロホン
３    音声復元部
４    帯域拡張部
３１  パラメータ抽出部
３２  パラメータ比較部
３３  パラメータ補償部
６１  第１の線形予測分析部
６２  励起信号拡張部
６３  高周波スペクトル拡張部
６４  第２の線形予測分析部
６５  フィルタリング部
６６  合成部
６７  ミキシング部
【図１】
2019516304.tif 000003
【図２】
2019516304.tif 000004
【図３】
2019516304.tif 000005
【図４】
2019516304.tif 000006
【図５】
2019516304.tif 000007
【図６】
2019516304.tif 000008
【図７】
2019516304.tif 000009
【図８】
2019516304.tif 000010
【国際調査報告】
2019516304.tif 000011
2019516304.tif 000012
2019516304.tif 000013
2019516304.tif 000014